【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
第１接触対象及び第２接触対象間を電気的に接触する電気的接触子において、
長手方向の一部の区間がスプリング機能を発揮するスプリング部となっているバレルと、
少なくとも一部が上記バレルの一端から挿入されている、上記第１接触対象に電気的に接触する第１のプランジャーと、
少なくとも一部が上記バレルの他端から挿入されて上記バレルの他端開口を閉塞すると共に、上記第２接触対象に電気的に接触する第２のプランジャーと
を有することを特徴とする電気的接触子。
【請求項２】
上記第１のプランジャーにおける上記バレル内の端部と、上記第２のプランジャーにおける上記バレル内の端部とが、上記バレルが有する、スプリング機能を発揮し得ない複数の非スプリング部のうち、同一の非スプリング部の内部空間に位置していることを特徴とする請求項１に記載の電気的接触子。
【請求項３】
上記バレルが、非スプリング部を介して分離されている３個以上のスプリング部を有することを特徴とする請求項１又は２に記載の電気的接触子。
【請求項４】
第１接触対象及び第２接触対象間を電気的に接触する電気的接触子において、
スプリング機能を発揮するスプリング部とスプリング機能を発揮し得ない非スプリング部とを長手方向に列設しているものであって、非スプリング部を介して分離されている３個以上のスプリング部を有するバレルと、
少なくとも一部が上記バレルの一端から挿入されている、上記第１接触対象に電気的に接触するプランジャーと
を有することを特徴とする電気的接触子。
【請求項５】
上記プランジャーが挿入されていない上記バレルの他端が上記第２接触対象に電気的に接触することを特徴とする請求項４に記載の電気的接触子。
【請求項６】
第１接触対象及び第２接触対象間を電気的に接触する電気的接触子を複数有する電気的接続装置において、
少なくとも一部の電気的接触子として、請求項１〜５のいずれかに記載の電気的接触子を適用したことを特徴とする電気的接続装置。
【手続補正２】
【補正対象書類名】明細書
【補正対象項目名】０００８
【補正方法】変更
【補正の内容】
【０００８】
従来、接触を確実にするために、電気的接触子を移動させる際にはオーバードライブさせる。上述のように、電気的接触性が悪い場合には、オーバードライブ量を多くしたりオーバードライブでの圧力を大きくしたりすることも考えられる。しかしながら、特許文献１に記載の電気的接触子１は、バレル２がスプリング部を有しているため、上述のようにオーバードライブを強くした場合に、スプリング部の位置で変形を起こす電気的接触子も生じていた。
【手続補正３】
【補正対象書類名】明細書
【補正対象項目名】００１９
【補正方法】変更
【補正の内容】
【００１９】
装置本体１１は、ＸＹＺθステージ１２、カード状接続装置１４等を支持するための部材である。装置本体１１は、主に、下部ベース１６と、上部ベース１７と、これら下部ベース１６及び上部ベース１７の間を支持する複数の支柱１８とを備えている。上部ベース１７の中央には開口１７Ａが設けられている。開口１７Ａは、円形や矩形など（以下では円形として説明する）、カード状接続装置１４の外形と近似した形をしている。開口１７Ａの内周縁の上側には、接続装置保持部１５を取り付けるための段状凹部１７Ｂが設けられている。
【手続補正４】
【補正対象書類名】明細書
【補正対象項目名】００２２
【補正方法】変更
【補正の内容】
【００２２】
配線基板２１は、電気的接触子２０に繋がる信号線等を配設すると共に、接続装置保持部１５を介して装置本体１１に取り付けられて、下方に設けられた接触子支持基盤２２全体を支持するための部材である。
【手続補正５】
【補正対象書類名】明細書
【補正対象項目名】００３５
【補正方法】変更
【補正の内容】
【００３５】
トップガイド板３４は、各電気的接触子２０の上部を位置決めして保持し、電気的接触子２０の摺動を許すための支持部材である。すなわち、トップガイド板３４は、各電気的接触子２０の上部の位置保持ガイドである。トップガイド板３４は、中央に上方に向かう凹部３４ａを有する平板状に形成されている。凹部３４ａには、電気的接触子２０の上部が貫通されて支持される上部支持穴３４ｂが設けられている。上部支持穴３４ｂは、上側絶縁シート３３の各ガイド穴３３ａに整合する位置で、しかも、配線基板２１の図示しない各電極と整合する位置に、配線基板２１の各電極にそれぞれ対応するように設けられている。これにより、各上部支持穴３４ｂに各電気的接触子２０の上部が嵌り込むことで、各電気的接触子２０の上端部が配線基板２１の各電極と接触するようになっている。各電気的接触子２０の後述する伸縮機能により、各電気的接触子２０の上部は、電気的接触子２０の伸縮に伴って、各上部支持穴３４ｂを貫通している状態で摺動するようになっている。トップガイド板３４は、例えば、セラミックで成形されていて絶縁性を有する。
【手続補正６】
【補正対象書類名】明細書
【補正対象項目名】００４１
【補正方法】変更
【補正の内容】
【００４１】
バレル４０は、概ね円筒形状を有する。第１の実施形態の電気的接触子２０におけるバレル４０は、上下方向（長手方向）に弾性力を発揮する３つのスプリング部４０ｂ、４０ｄ及び４０ｆを有し、それ以外の部分は弾性力を発揮しない非スプリング部４０ａ、４０ｃ、４０ｅ及び４０ｇとなっている。すなわち、バレル４０は、下側から、第１の非スプリング部４０ａ、第１のスプリング部４０ｂ、第２の非スプリング部４０ｃ、第２のスプリング部４０ｄ、第３の非スプリング部４０ｅ、第３のスプリング部４０ｆ及び第４の非スプリング部４０ｇを有する。
【手続補正７】
【補正対象書類名】明細書
【補正対象項目名】００４５
【補正方法】変更
【補正の内容】
【００４５】
図４は、第１の実施形態の電気的接触子２０におけるバレル４０を示す正面図である。第１の実施形態の電気的接触子２０が上下動に伴う中心軸周りの回転が問題とならないものである場合には、図４（Ａ）に示すように、バレル４０における３つのスプリング部４０ｂ、４０ｄ及び４０ｆ共に、同じ螺旋状のものを適用すれば良い。第１の実施形態の電気的接触子２０が上下動に伴う中心軸周りの回転が問題となる場合には、図４（Ｂ）に示すように、バレル４０における３つのスプリング部４０ｂ、４０ｄ及び４０ｆとして、異なる方向の螺旋を有する部分の長さが同じになるようにしたものを適用すれば良い。図４（Ｂ）は、スプリング部４０ｂの螺旋が右上がりで、スプリング部４０ｆの螺旋が左上がりで、スプリング部４０ｄが、右上がりの螺旋部分と左上がりの螺旋部分とが半々になっている例を示している。
【手続補正８】
【補正対象書類名】明細書
【補正対象項目名】００５１
【補正方法】変更
【補正の内容】
【００５１】
トッププランジャー４２の概ね上半部４２ａは、バレル４０の上端から上方へ突出している。上半部４２ａの突出量は、配線基板２１（図１）の電極と接触する部分が、バレル４０ではなく、トッププランジャー４２であることを保証できる量に選定されている。バレル４０の最も上の非スプリング部４０ｇの所定高さの位置ＰＴにおいて、非スプリング部４０ｇとトッププランジャー４２とが接合されて互いに固定されている。バレル４０とトッププランジャー４２との接合方法は、上述したバレル４０とボトムプランジャー４１との接合方法と同様である。
【手続補正９】
【補正対象書類名】明細書
【補正対象項目名】００６７
【補正方法】変更
【補正の内容】
【００６７】
バレル４０の内部の大半にボトムプランジャー４１が挿通され、ボトムプランジャー４１が長手方向（上下方向）に直交する方向の変形を防止する機能を果たすとは言え、バレル４０自体が変形に対する耐性が高いことが好ましく、それにより、変形を防止することができる。すなわち、第１の実施形態のバレル４０のようにスプリング部が非スプリング部を挟むことで３つのスプリング部に分割されていることや、バレルがそれより多くのスプリング部に分割されていることが好ましい。
【手続補正１０】
【補正対象書類名】明細書
【補正対象項目名】００７１
【補正方法】変更
【補正の内容】
【００７１】
第１の実施形態では、配線基板２１の電極に接触する、電気的接触子２０の部材として円柱状のトッププランジャー４２を示したが、バレル４０の上端に代わって配線基板２１の電極に接触する部材であれば良く、その形状等は限定されないものである。例えば、図８（Ａ）に示すような円柱状の上端部が外径より大きな頭デッカチな部材であっても良く、また、図８（Ｂ）に示すようなバレル４０の上端開口を塞ぐような蓋体であっても良く、さらに、図８（Ｃ）に示すようなバレル４０の上端円環を面に変換するための栓状部材であっても良い。特許請求の範囲では、蓋体や栓状部材を含めて「第２のプランジャー」と呼んでいる。
【手続補正１１】
【補正対象書類名】図面
【補正対象項目名】図３
【補正方法】変更
【補正の内容】
【図３】
2016080657.tif 000001